(57)【要約】      （修正有）【課題】カプセル内部の微粉末又は液体を容易に外部に滲出することのできる薬剤又は化粧料パック材の提供。【解決手段】易破断域を有する柔軟な熱可塑性合成樹脂シートよりなる封入部と、非破断性の半硬質の熱可塑性合成樹脂シートよりなる上蓋とからなり、封入部に薬液、薬剤、化粧液又は化粧微粉末を封入した略半球状又は略楕円球状のカプセルを形成し、これを適宜の個所に内蔵せしめてなる人体各所用パック材。【選択図】 図４
2005154274.tif 000002
【特許請求の範囲】
【請求項１】
微粉末又は液体非通過性シートと吸液シートとを重ね合わせたパック材内部に、パック剤成分を封入した下記易破断性カプセルが内蔵されてなる身体各所用美容パック材。
(a)上記易破断性カプセルは、軟質の熱可塑性樹脂フイルムのパック剤成分封入し、硬質又は硬質又は半硬質の熱可塑性樹脂シートの上蓋で覆い、その重ね合わせ周縁鍔部がヒートシールされている、(b)上記易破断性カプセルは、略半球状又は略楕円球状で、一面が平面であって、上記非通過性シートに固着されており、曲面部が外部圧により容易に破断される易破断部が形成されている。
【請求項２】
カプセルの易破断部が、カプセル成形金型の刻設によって形成されていることを特徴とする請求項１に記載の美容パック材。
【請求項３】
パック剤成分が、微粉末状、液状又はクリーム状の化粧料又は薬剤成分であることを特徴とする請求項１又は２に記載の美容パック材。
【請求項４】
パック剤成分が液状の場合に、軟質の熱可塑性樹脂シートと吸液シートとの間にパック剤成分を拡散させるための拡散シートを設けてなることを特徴とする請求項１〜３のいずれかに記載の美容パック材。
【請求項５】
顔、首、肩、胸、手、足、顔面、顔の一部、頭部、頭髪、肩又は胸より選ばれた身体各所のパックに適当な形状のものであることを特徴とする請求項１〜４のいずれかに記載の美容パック材。
【請求項６】
手袋状、ソックス状又はヘアキャップ状から選ばれたものであることを特徴とする請求項５に記載の美容パック材。
【発明の詳細な説明】
【技術分野】
【０００１】
本発明は、身体各所用の美容パック材に関する。
また、本発明は、頭部、頭髪、顔、首、肩、胸、手や足等の身体各所用の美容パック材において、微粉末又は液体非通過性シートと吸液シートを重ね合わせたパックシートの内部にパック剤成分を封入した易破断性カプセルを内蔵させ、使用時に易破断性カプセルを破断させてパック剤成分をパックシート内部に漏れ出させ、パック剤成分を吸液シートを通じて外部に滲出させ身体の必要個所をパックする身体各所用美容パック材に関する。
【背景技術】
【０００２】
美容パックは、従来から用いられている化粧法であり、パック材を肌に貼付けることで皮膚の角質に保湿性と柔軟性を与え、汚れや垢を取り去る方法が汎用されてきたが、最近では肌の美白や、しわの低減、肌の若返りを目的とするパック材の開発により美容パックの需要が増加している。
従来の美容パック材の基本的な使用は、ペースト状又はジェル状のパック剤成分を直接又は間接に顔に塗り、一定時間後に塗ったパック剤成分を取り去る方式である。例えば、粘度の高いペースト又はジェル状のパック剤成分を不織布シートに塗布含浸した含浸タイプのパック材が知られている（特許文献１）が、含浸液の粘度が高いためにパック材基材の不織布シートの折畳み状態では不織布同士が粘着力で貼付くために折畳み状態から拡開するのに手間取り、強く引張ると不織布が必要以上に伸びたり、破れたり、手や衣類を汚し易く、ペースト層やジェル層から皮膚に吸収される有効成分がわずか３〜５％程度と低く効率が悪い欠点があった。不織布のようなパック材基材自体を強化することも試みられたが、製造工程や製品の折畳みによりパック剤成分を必要としない外側面までパック剤成分で濡れることが避けられず、手や衣類のパック剤成分による汚れの防止について未だ解決されていない。
【０００３】
そこでパック剤成分として粘度の高い化粧料又は薬剤のペーストやジェルに換えて比較的粘度の低いパック液を含浸させたパック材も提案されたが、吸液シートに含浸されたパック液の化学成分が酸素の影響で酸化や加水分解を受け易く、例えばビタミンＣの含浸により酸化されて黄色に変色し、商品価値が低下するばかりでなく、美容パック材の本来目的の美容効果を発揮することができなかった。
【０００４】
一方、最近、顔や顔周辺の部分の外に手や足のパック材も提案されており、シート裏に保水性の高い布を重ね合わせてパック液を含ませて靴下状としたもの（特許文献２）、パック液を含む吸液層をシートに重ね合わせてた手袋、キャップ、ソックス又は耳カバー（特許文献３）があるが、使用性はよくない。手袋美容パック材であれば、手の甲側のみにパック液が必要であるのに、パック液を含浸させると吸液シート全体に浸透し、全くパックの必要のない手のひら側にパック液が接触することとなり、ぬるぬるして気持ちの悪い使用感しかなかった。足の裏側にパックの必要が全くないソックスタイプにおいても同様である。
【０００５】
本発明者らは、液状又は微粉末が通過可能なシートと非通過性シートの２枚のシートの内側に薬剤や化粧料を封入した易破断性カプセルを内蔵させておき、通過性シートの外側から指で押圧してカプセルを破断し、カプセル内に封入していた成分をシート内に漏れ出させ、これを液状又は微粉末通過性の側から滲出させる化粧用パフのような塗布具を発明し、先に出願（特願２００３−３５８９７４号）したが、本発明はこれを人体各所用パック材に応用したものである。
本発明のパック材は、微粉末又は液体のパック剤成分がカプセル化しているので、使用時以外は不用意にパック剤成分が外部に漏れ出ることがないので、パック剤成分によって手や衣類が汚れることがなく、取扱いも簡便である。
【０００６】
【特許文献１】特開２０００−０６３２３６号公報
【特許文献２】実用新案登録３０７４１６０号公報
【特許文献３】特開平２００２−３３９１２５号公報
【特許文献４】特願２００３−３５８９７４号
【発明の開示】
【発明が解決しようとする課題】
【０００７】
本発明者らが先に出願（特願２００３−３５８９７４号）した含浸タイプのパフ等の化粧用塗布具では、、皮膚角質に保湿性と柔軟性を与え、肌の美白化、しわの低減、肌の若返りの改善効果があるが、本発明では身体各所用のパック材として同様の効果を発揮することを課題とする。
すなわち、本発明は、薬剤又は化粧料等のパック剤成分をカプセル化して保存性、変質防止を改善し、長期安定化を可能にし、パック材基材の適宜の個所に固定し、必要時にカプセルを破断して、身体の必要個所のみにパック剤成分を付与できることを可能とするパック材を提供することを課題とする。
【課題を解決するための手段】
【０００８】
本発明は、次の構成を基本とする。
（１）微粉末又は液体非通過性シートと吸液シートとを重ね合わせたパック材内部に、パック剤成分を封入した下記易破断性カプセルが内蔵されてなる身体各所用美容パック材。
(a)上記易破断性カプセルは、軟質の熱可塑性樹脂フイルムのパック剤成分封入し、硬質又は硬質又は半硬質の熱可塑性樹脂シートの上蓋で覆い、その重ね合わせ周縁鍔部がヒートシールされている、(b)上記易破断性カプセルは、略半球状又は略楕円球状で、一面が平面であって、上記非通過性シートに固着されており、曲面部が外部圧により容易に破断される易破断部が形成されている。
（２）カプセルの易破断部が、カプセル成形金型の刻設によって形成されていることを特徴とする上記（１）に記載の美容パック材。
（３）パック剤成分が、微粉末状、液状又はクリーム状の化粧料又は薬剤成分であることを特徴とする上記（１）又は（２）に記載の美容パック材。
（４）パック剤成分が液状の場合に、軟質の熱可塑性樹脂シートと吸液シートとの間にパック剤成分を拡散させるための拡散シートを設けてなることを特徴とする上記（１）〜（３）のいずれかに記載の美容パック材。
（５）顔、首、肩、胸、手、足、顔面、顔の一部、頭部、頭髪、肩又は胸より選ばれた身体各所のパックに適当な形状のものであることを特徴とする上記（１）〜（４）のいずれかに記載の美容パック材。
（６）手袋状、ソックス状又はヘアキャップ状から選ばれたものであることを特徴とする上記（５）に記載の美容パック材。。
【０００９】
本発明の易破断性カプセルを内蔵したパック材を図面を用いて説明する。
図１は本発明のカプセルの外観図、図２は本発明のカプセルの成形図、
図３は本発明のカプセル（パック剤成分が微粉末）の破断状態図、図４は本発明のカプセル（パック剤成分が液体）の破断状態図、図５は本発明のカプセルを甲部及び指部に内蔵した手袋パック材、図６は本発明のカプセルを踵部に内蔵したソックスパック材、図７は、本発明のカプセルを踵部及び足指元に内蔵したソックスパック材、図８は本発明のカプセルを頭頂部及び頭壁部に内蔵したヘアキャップパック材を示す。
【００１０】
本発明の易破断性カプセルは、図２の成形図にみるように、柔軟な熱可塑性合成樹脂フィルム２を加熱装置（図示せず）で軟化温度以上に加熱し、真空成形のための上金型５，下金型６からなる成型機に供給する。上下の金型間に供給された軟化樹脂フイルム２は、下金型６に設けた吸引孔７の吸引により、下金型６の半球状又は半楕円球状の曲面に吸着され、パック剤成分の封入のための凹所を形成する。このときカプセルの破断を容易にするために、下金型６にフィルムが破断しない程度にナイフエッジ１１により十字形、Ｈ字形、Ｖ字形、Ｘ字形、○字形又は◎形等の易破断部１２を設けておく。この凹部にパック剤成分である微粉末の３又は液体３’を適量入れる。
【００１１】
必要量の微粉末３又は液体３’を凹所に封入した後、カプセル上蓋となる硬質又は半硬質の熱可塑性合成樹脂シート４を上蓋としてカプセル上部を覆い、上金型５によって重ね合わせ縁部をヒートシールする。カプセルを金型から取り出すと、風船状にふくらんだ封入凹部に樹脂フィルムの収縮力が作用するので、経時的には液体又は紛状の内容物は１気圧以上でカプセル内に封入されることとなる。
かくて薬剤又は化粧料を封入した略半球形又は略半楕円球状のカプセルが得られる。カプセルは、これをパック材の使用時に易破断部１２を外部圧によって破断させることによって、封入していたパック剤成分の微粉末３又は液体３’を通過性素材側に漏れ出させ、通過性素材シートを通過して外部に滲出し、パック剤成分として肌に接触させるようにする。
ただ、カプセルに封入するのが、薬剤又は化粧料成分の液体の場合は、パック材の吸液シートの側から一気に内部液が漏れ出るので、カプセル曲面を構成する軟質の熱可塑性樹脂シートと吸液シートの中間に拡散シートを設けることが必要である。
【００１２】
パック材は、人体各所、例えば顔、首、肩、胸、手、足、顔面、顔の一部、頭部、頭髪、肩又は胸より選ばれた部分の適宜の形状に応じて作成する。本発明では、手袋形状のパック材、ソックス形状のパック材、ヘアキャップ形状のパック材の例を示すが、格別これらの形状のものに限られるわけではない。
なお、図中、１５は手袋形状パック材、１６は手袋甲部のパック剤内蔵部、１６’は手袋指部のパック剤内蔵部、１７はソックス形状パック材、１８はソックス踵部のパック剤内蔵部、１９は足指元部のパック材内蔵部、２０はヘアキャップ状パック材、２１は頭部側壁部のパック剤内蔵部、２２は頭頂部のパック剤内蔵部を示す。
【００１３】
本発明の易破断域を設けるカプセルを構成する柔軟な熱可塑性樹脂として、ポリエチレン、ポリスチレン、ポリプロピレン、ポリ塩化ビニール、ポリ塩化ビニリデン又はポリエステルのフイルムを用いることができるが、金属蒸着フィルム又はラミネート複合フィルムを用いることも可能である。上蓋に用いる硬質又は半硬質の熱可塑性樹脂シートは、ポリエチレン、ポリスチレン、ポリプロピレン、ポリ塩化ビニール、ポリ塩化ビニリデン又はポリエステルを用いるのが適当であるが、外部圧に対して非破断性であれば、これらの素材に特定されることはない。
【００１４】
本発明で形成されるカプセルは、上述するように易破断部１２が形成された略半球状又は略半楕円球状であり、一面が平面で固定安定性がよいので、従来の全面曲面の球状やピロー状のカプセルと相違し、使用時に外側から押圧すると易破断部に応力が集中するので、容易に、的確にカプセルを破断せしめ、カプセル外に微粉末又は液体を容易に漏れ出させることができる。
【００１５】
本発明のパック材は、微粉末又は液体非通過性シートと吸液シートとを重ね合わせ、その中間にパック剤成分を封入したカプセルを内蔵させて、必要時に吸液シート側から押圧してカプセルを構成する柔軟な熱可塑性合成樹脂を破断し、封入されていたパック剤成分を微粉末又は液体非通過性シートと吸液シートとの内部空間に漏れ出させ、吸液シートを通過させて、人体各所の肌にパック剤成分として接触させる。
【００１６】
微粉末又は液体通過性シートは、パック剤成分の塗布面（人体各所接触側）を構成するものであり、織物、編み物、スポンジ、不織布、立毛布又は植毛布等から選ばれたものが使用できる。カプセルに封入するのが液体の場合は、吸液シートから一気に内部液が漏れ出るので、カプセルの軟質の熱可塑性合成シートと吸液シートの内側との中間に拡散シートを設けることが必要である。
拡散シートとしては、小孔を穿設した多孔樹脂シートや吸水率が250〜1500％の高吸液性シートを用いるのがよい。微粉末の場合の塗布面素材は、起毛編み物のように微粉末の通過可能な基材を用いるのがよい。他方の微粉末又は液体非通過性の素材は、パック剤成分の微粉末や液体が通過しない素材であれば、制限はない。
【００１７】
本発明のパック剤成分は、液体又はクリーム状あるいはジェル状のものを使用できるが、肌の美白、賦活、消炎、殺菌効果を有する成分を液体又はクリーム状として用いるが、粘度が0.8〜8 Pa・secに調節した肌に貼り付くようにしてものを使用する。粘度が８Pa・sec以上の高粘度は成分の皮膚への吸収率が低く、粘度が0.8 Pa・sec以下では使用時に皮膚に付着性が悪いので適さない。
具体的なパック剤成分は、化粧水、乳液、クレンジング液、クリーム、美容エッセンス、乳化型ファンデーション、スキンケアー液、芳香水、紫外線防止液、肌荒れ防止液、美白液、体臭防臭液、消毒液、鎮痛液、温感液、冷感液又は消炎液等がある。また、微粉末薬剤としては、ベビーパウダー類、白粉・打粉類、パウダーファンデーション、粉末状防臭剤、粉末状防虫剤又は粉末状皮膚薬等がある。パック成分には、保湿剤、美白剤、コラーゲン産生促進剤、高酸化剤、皮膚弾力改善剤を用いて肌に有効成分を十分に吸収させることが効果的である。
【発明の効果】
【００１８】
本発明においては、微粉末又は液体のパック剤成分をカプセル化することによってパック剤成分の変質を防止し、パック材の長期安定使用を可能にした。また、カプセル化することによって下着、肌着、手袋、ソックス等の必要個所にカプセルを存在させることができるから、身体の部分的パックが可能となる。また、拡散シート等の使用によって液体パック剤成分を外部に全く漏らさなくすることができるので、手や衣類の汚れなく取扱いが容易であるという顕著な効果が発揮される。
【発明を実施するための最良の形態】
【００１９】
発明を実施するための最良の形態について実施例により詳細に説明する。
【実施例１】
【００２０】
〈カプセルの調製〉；厚み60μmの高密度ポリエチレン（ＰＥ）フイルムを加熱し、金型にＨ形切込み対応の突起を設けた金型曲面に直径20mmφ高さ10mmの半球状のカプセルを吸着させ、カプセル内に濃度と粘度を精製水とアルギン酸ソーダで調整した3.5 Pa・secの下記処方のローション化粧液を８ml注入し、100μm厚の半硬質ＰＥシートを覆い、重ね合った縁部をヒートシールし、パック剤成分封入のカプセルを作成した。カプセルの外側にはＨ形の易破断部が刻設されており、外部圧によって容易に破断されるようになっている。
〔封入したローション化粧液組成〕  （重量％）
ジプロピレングリコール          ５．０％
ＰＥＧ４００                    ５．０％
セリシン（分子量６００）        ５．０％
エタノール                    １０．０％
オレイルアルコール              ０．５％
プラセンタエキス                ０．２％
ビタミンＥ                      ０．２％
香料                              適量
精製水                            ※
（※以上の配合液の粘度をアルギン酸ソーダを加えて３．５Pa・secになるように調整した。）
〈パック材の形成〉；コットン100％の目付40g/m2以上のスパンボンド不織布で、ホットメルトのドット加工したものを吸液シートとし、他方、70μmの厚さのＰＥシートを液体非通過性シートとして用いる。
両方のシートを重ね合わせ、その内部に上記液体非通過性シート中央に上記カプセルを固定する。さらに、ＰＥ多孔シート（２mm径の小孔５個／１cm2）からなる拡散シートでカバーし、長さ５cm最大幅４ｃｍの楕円のパックに打ち抜き、打ち抜いた楕円の重ね合わせ縁部をホットメルト接着剤で点接着して美容パック材を製造した。
得られたパック材の中央部を手で押すと、カプセルの易破断部が破断してパック内のローション化粧液を容易に滲出させることができる。これを目の下等の適当な個所に貼付けてパックした。
本発明のパック材を使用したときに、手を汚すことなく、身体の希望個所に簡単に貼りつけることができ、必要個所のみをパックを行うことができた。
【実施例２】
【００２１】
〈カプセルの調製〉；加熱した厚み60μmのポリスチレンシートを、Ｘ形突起を設けた下金型に吸引させ、直径25mmφ高さ10mmの半球状の空所を形成し、ここに粘度を５Pa・secの下記処方の化粧液を12ml注入し、100μm厚の半硬質ＰＥシートで覆い、重ね合わせ縁部をヒートシールし、Ｘ形の易破断部を持つ破断可能なカプセルを作成した。
〔封入した化粧液組成〕    （重量％）
ソルビトール                    １．５％
ＰＲＧ１５００                ５６．５％
ヒアルロン酸                  １０．０％
エタノール                    ２９．６％
オレイルアルコール              ２．０％
プラセンタエキス                ０．２％
ビタミンＣ                      ０．２％
香料                            適量
〈パック材の製造〉コットン100％、目付60g/m2の編み地にホットメルト接着剤でドット加工したものを吸液シートとし、他方、80μmの厚さのＰＥシートを液体非通過性シートとして用い、上記コットン吸液シートと上記液体非通過性ＰＥシートを重ね合わせ、グローブ状に裁断した。
上記液体非通過性シートの手の甲に相当する個所の内部に上記カプセルの平面側（半硬質ＰＥシート側）を固定し、その上に拡散シートとして連続起泡のＰＥシートを被せ、編み地を内側にしてカプセル周辺の重ね合わせ部を熱処理で点接着し、グローブ形状の美容パック材を作った。
得られたパック材は、手に嵌めて外側から手で押圧してＸ形の易破断部を破断し、中液の化粧液を出して手荒れ予防のパックをしたが、手の甲のみにパック液が滲出してきて、従来のように手のひら側が濡れた不快感はなく、手の甲側のみをパックすることができた。
【実施例３】
【００２２】
〈カプセルの調製〉カプセル40μm厚のポリエチレンテレフタレート（PET）フイルムを用い、加熱後、Ｙ形突起を設けた下金型に吸引させ、最大径30mmφ高さ８mmの半楕円球状の空所を形成し、ここに粘度５Pa・secの下記処方の油性化粧液を９ml注入し、100μm厚の半硬質ＰＥシートで覆い、重ね合わせ縁部をヒートシールし、Ｙ形の易破断部を持つ破断可能なカプセルを作成した。
〔封入した化粧液組成〕   （重量％）
オリーブ油                        ５０％
流動パラフィン                    ２５％
スクワラン                        ２４．７％
ビタミンＥ                          ０．３％
〈パック材の製造〉ポリエステル繊維100％、目付40g/m2の不織布をホットメルト接着剤でドット加工したものを吸液シートとし、80μm厚のＰＥシートを液体非通過性シートとした。吸液シートのポリエステル繊維不織布と液体非通過性該シートとを重ね合わせてソックス状に裁断した。足の踵部とつま先部に上記カプセル各１個を配置し、平面側を液体非通過性ＰＥシートに固定し、さらにレーヨン不織布を拡散シートとして用いて、その上（足に接する側）に上記ポリエステル繊維不織布を重ね合わせて、カプセル周辺部をヒートシールして足美容パック材を作成した。
得られたパック材を足に嵌めて、踏む付け圧で、カプセルを破断し、中液の化粧液を漏れ出させて、足パックした。
このパック材は、足裏の必要個所のみにパック液が滲出してきて、従来のように足全体が濡れた不快感はなく、快適にパックできた。
【実施例４】
【００２３】
〈カプセルの調製〉カプセル40μm厚のPETフイルムを用い、加熱後、Ｘ型突起を設けた下金型に吸引させ、最大径30mmφ高さ８mmの半楕円球状の空所を形成し、下記処方の粉末を封入し、100μm厚の半硬質ＰＥシートで覆い、重ね合わせ縁部をヒートシールし、Ｘ型の易破断部を持つ粉末入りの破断可能なカプセルを作成した。
〔封入した化粧液組成〕    （重量％）
アルミニウムクロロハイドレート    ３０％
タルク                            ４０％
カオリン                          １０％
ミリスチン酸亜鉛                    ４％
炭酸マグネシウム                    ５％
酸化亜鉛                          １０％
銀ゼオライト                        １％
〈パック材の製造〉60mm平方のポリエステル繊維100％、目付30/m2の不織布と60mm平方の厚さ70μmの微粉末非通過性ＰＥフィルムとを重ね合わせた中央内部に上記カプセルを配置してカプセルの平面側を上記ＰＥフィルムに固定した。次いで縁部をヒートシールしてパック材を作成した。
該パック材を強く押してカプセルを破断し、脇の下に不織布面を肌に向けて着用した。
従来のデオドラント品の効果は短時間の一時性であったが、本発明の製品は汗とにおいの抑制効果を飛躍的に持続させることができた。
【図面の簡単な説明】
【００２４】
【図１】本発明の薬剤又は化粧液封入カプセル外観図
【図２】本発明のカプセルを成形図
【図３】本発明のカプセル（微粉末封入）の指圧による破断状況
【図４】本発明のカプセル（化粧液又は薬液封入）の指圧による破断状況
【図５】本発明のカプセルを甲部及び指部に内蔵した手袋パック材
【図６】本発明のカプセルを踵部に内蔵したソックスパック材
【図７】本発明のカプセルを踵部及び足指元に内蔵したソックスパック材
【図８】本発明のカプセルを頭頂部及び頭壁部に内蔵したヘヤキャップパック材
【符号の説明】
【００２５】
１    本発明の薬剤又は化粧料封入カプセル
２    軟質樹脂フイルム
３    微粉末の薬剤又は化粧料成分
３’  薬液又は液体化粧料
４    硬質又は半硬質の樹脂シート（カプセル上蓋）
５    真空成形用上金型
６    真空成形用下金型
７    金型吸引孔
８    パック材
１１   金型突起
１２   易破断部
１３   微粉末又は液体非通過性シート
１４   微粉末又は液体通過性シート
１５   手袋形状パック材
１６   手袋甲部のパック剤内蔵部
１６’ 手袋指部のパック剤内蔵部
１７   ソックス形状パック材
１８   ソックス踵部のパック剤内蔵部
１９   足指元部のパック材内蔵部
２０   ヘアキャップ状パック材
２１   頭部側壁部のパック剤内蔵部
２２   頭頂部のパック剤内蔵部
２４   拡散シート
【図１】
2005154274.tif 000003
【図２】
2005154274.tif 000004
【図３】
2005154274.tif 000005
【図４】
2005154274.tif 000006
【図５】
2005154274.tif 000007
【図６】
2005154274.tif 000008
【図７】
2005154274.tif 000009
【図８】
2005154274.tif 000010